(57)【要約】【課題】定着部材の回転を正確に検知できるようにする。【解決手段】回転可能な加圧部材と、加圧部材の外周面と当接して回転する環状の定着部材と、定着部材の内側に設けられ、定着部材の内周面と当接する内周面当接部材と、定着部材の外周面と当接して定着部材とともに回転し定着部材の回転を検知する回転検知部材と、定着部材の外周面と当接する外周面当接部材とを設け、外周面当接部材は、少なくとも一部分が、回転検知部材よりも定着部材の回転軸方向の外側で定着部材の外周面と当接する。【選択図】図１１
2020056822.tif 000002
【特許請求の範囲】
【請求項１】
回転可能な加圧部材と、
前記加圧部材の外周面と当接して回転する環状の定着部材と、
前記定着部材の内側に設けられ、前記定着部材の内周面と当接する内周面当接部材と、
前記定着部材の外周面と当接して前記定着部材とともに回転し前記定着部材の回転を検知する回転検知部材と、
前記定着部材の外周面と当接する外周面当接部材と
を備え、
前記外周面当接部材は、
少なくとも一部分が、前記回転検知部材よりも前記定着部材の回転軸方向の外側で前記定着部材の外周面と当接する
ことを特徴とする定着装置。
【請求項２】
前記定着部材と前記内周面当接部材との間に潤滑剤が設けられ、
前記外周面当接部材は、
前記定着部材の回転軸方向の一端から漏れ出した前記潤滑剤を、前記回転検知部材よりも前記定着部材の回転軸方向の外側で回収する
ことを特徴とする請求項１に記載の定着装置。
【請求項３】
前記外周面当接部材は、
前記定着部材の外周面に押し付けられていて、前記定着部材の外周面に漏れ出した前記潤滑剤を吸収する
ことを特徴とする請求項２に記載の定着装置。
【請求項４】
前記回転検知部材は、
前記定着部材の回転軸と平行な回転軸を中心に回転可能なローラである
ことを特徴とする請求項１〜３のいずれかに記載の定着装置。
【請求項５】
前記外周面当接部材は、
前記加圧部材の回転軸上に設けられている
ことを特徴とする請求項１〜４のいずれかに記載の定着装置。
【請求項６】
前記外周面当接部材と前記加圧部材との間には隙間が設けられている
ことを特徴とする請求項５に記載の定着装置。
【請求項７】
前記外周面当接部材は、
前記回転検知部材の回転軸上に設けられている
ことを特徴とする請求項４に記載の定着装置。
【請求項８】
前記外周面当接部材と前記回転検知部材との間には隙間が設けられている
ことを特徴とする請求項７に記載の定着装置。
【請求項９】
前記回転検知部材は、
前記定着部材の回転軸方向の一端部の外周面に当接する一端側回転検知部材と、他端部の外周面に当接する他端側回転検知部材とでなり、
前記外周面当接部材は、
前記加圧部材の回転軸方向の一端の外側と他端の外側とに設けられている
ことを特徴とする請求項５又は６に記載の定着装置。
【請求項１０】
前記回転検知部材は、
前記定着部材の回転軸方向の一端部の外周面に当接する一端側回転検知部材と、他端部の外周面に当接する他端側回転検知部材とでなり、
前記外周面当接部材は、
前記一端側回転検知部材の回転軸方向の外側と、前記他端側回転検知部材の回転軸方向の外側とに設けられている
ことを特徴とする請求項７又は８に記載の定着装置。
【請求項１１】
前記定着部材と前記回転検知部材は、
１つのユニットとしてユニット化されていて、
前記定着部材は、
前記ユニットごと前記加圧部材に押し付けられている
ことを特徴とする請求項１〜１０のいずれかに記載の定着装置。
【請求項１２】
前記内周面当接部材は、
ヒータの熱を前記定着部材に伝える熱拡散部材であり、
前記定着部材と前記熱拡散部材との間に、潤滑剤としての摺動グリスが設けられている
ことを特徴とする請求項１〜１１のいずれかに記載の定着装置。
【請求項１３】
請求項１〜１２のいずれかに記載の定着装置を有する
ことを特徴とする画像形成装置。
【発明の詳細な説明】
【技術分野】
【０００１】
本発明は、定着装置及び画像形成装置に関するものであり、例えば、電子写真方式の画像形成装置及びこのような画像形成装置が備える定着装置に適用して好適なものである。
【背景技術】
【０００２】
電子写真方式の画像形成装置は、現像剤で形成した画像（現像剤像とも呼ぶ）を用紙などの媒体に転写した後、媒体に転写した画像（現像剤像）を、定着装置としての定着器により媒体に定着させるようになっている。
【０００３】
このような画像形成装置が備える定着器では、ローラやベルトなどで形成される環状の定着部材とローラやベルトなどで形成される環状の加圧部材とを当接させながら回転させ、搬送されてくる媒体を、定着部材と加圧部材との間に形成されるニップ部で挟んで加熱及び加圧することにより、媒体上に形成された画像（現像剤像）を加熱溶融して媒体上に定着させるようになっている。
【０００４】
従来、このような定着器として、定着部材の内周側に、定着部材の内周面と当接する当接部材が設けられているものがある（例えば特許文献１参照）。当接部材の具体的な例としては、ヒータからの熱を定着部材に伝える熱拡散部材や、定着部材をガイドするガイド部材などである。このような定着器では、定着部材が当接部材に対して摺動しながら回転するようになっていることから、定着部材と当接部材との間にグリスなどの潤滑剤が塗布されている。
【先行技術文献】
【特許文献】
【０００５】
【特許文献１】特開２０１５−２１０３５１号公報
【発明の概要】
【発明が解決しようとする課題】
【０００６】
しかしながら、従来の定着器は、潤滑剤が定着部材の回転軸方向の端部から漏れ出すことがあり、定着部材の回転を検知するための回転検知部材を前記定着部材と当接するように取り付けると、この漏れ出した潤滑剤が回転検知部材へと伝わって回転検知部材を汚してしまい、定着部材の回転を正確に検知できなくなるという問題を有していた。
【０００７】
本発明は以上の点を考慮したものであり、定着部材の回転を正確に検知し得る定着装置及び画像形成装置を提案しようとするものである。
【課題を解決するための手段】
【０００８】
本発明は、定着装置に、回転可能な加圧部材と、前記加圧部材の外周面と当接して回転する環状の定着部材と、前記定着部材の内側に設けられ、前記定着部材の内周面と当接する内周面当接部材と、前記定着部材の外周面と当接して前記定着部材とともに回転し前記定着部材の回転を検知する回転検知部材と、前記定着部材の外周面と当接する外周面当接部材とを設け、前記外周面当接部材は、少なくとも一部分が、前記回転検知部材よりも前記定着部材の回転軸方向の外側で前記定着部材の外周面と当接するようにした。
【０００９】
これにより、定着部材の端から潤滑剤が漏れ出したとしても、漏れ出した潤滑剤が回転検知部材に到達する前に、この潤滑剤を外周面当接部材により回収することができるので、漏れ出した潤滑剤が回転検知部材に伝わって回転検知部材を汚してしまうことを抑制することができる。
【発明の効果】
【００１０】
本発明は、定着部材の回転を正確に検知し得る定着装置及び画像形成装置を実現できる。
【図面の簡単な説明】
【００１１】
【図１】第１の実施の形態による画像形成装置の全体構成を示す側面図である。
【図２】第１の実施の形態による定着器の構成を示す斜視図である。
【図３】第１の実施の形態による定着器の構成を示す斜視図である。
【図４】第１の実施の形態による定着器の右端部分の構成を示す斜視図である。
【図５】第１の実施の形態によるベルトユニットの右端部分の構成を示す斜視図である。
【図６】第１の実施の形態によるフランジの構成を示す斜視図である。
【図７】第１の実施の形態によるベルトユニットの左端部分の構成を示す斜視図である。
【図８】第１の実施の形態による定着器の構成を示す正面図である。
【図９】第１の実施の形態による定着器の構成を示す右側面図である。
【図１０】図８に示すＡ−Ａ切断線により定着器を切断した場合の断面図である。
【図１１】図９に示すＢ−Ｂ切断線により定着器を切断した場合の断面図である。
【図１２】第１の実施の形態による当接ローラ周辺の構成を示す拡大図である。
【図１３】第２の実施の形態による定着器の構成を示す断面図である。
【発明を実施するための形態】
【００１２】
以下、発明を実施するための形態（以下、これを実施の形態と呼ぶ）について、図面を用いて詳細に説明する。
【００１３】
［１．第１の実施の形態］
［１−１．画像形成装置の全体構成］
図１に、第１の実施の形態による画像形成装置１の全体構成の概略を示す。尚、図１は、画像形成装置１の全体構成を示す側面図となっている。この図１に示すように、画像形成装置１は、電子写真方式のプリンタであり、略箱型の装置筐体２を有している。ここで、装置筐体２の図中右側を前面、図中左側を後面として、装置筐体２の前面から後面への方向を後方向、後面から前面への方向を前方向、装置筐体２の下側から上側への方向を上方向、装置筐体２の上側から下側への方向を下方向、装置筐体２の図中手前側から奥側への方向を右方向、装置筐体２の図中奥側から手前側への方向を左方向とする。
【００１４】
装置筐体２の内部には、その上部に、画像形成装置１で扱う複数色の現像剤（例えばブラック（Ｋ）、イエロー（Ｙ）、マゼンタ（Ｍ）、シアン（Ｃ）の４色のトナー）の各々に対応する４個の画像形成ユニット３（３Ｋ、３Ｙ、３Ｍ、３Ｃ）が、用紙Ｐの搬送路Ｒに沿って前後方向に並べて設けられている。
【００１５】
各画像形成ユニット３（３Ｋ、３Ｙ、３Ｍ、３Ｃ）は、感光体ドラム４（４Ｋ、４Ｙ、４Ｍ、４Ｃ）と、トナーカートリッジ５（５Ｋ、５Ｙ、５Ｍ、５Ｃ）とを有している。各画像形成ユニット３（３Ｋ、３Ｙ、３Ｍ、３Ｃ）は、感光体ドラム４（４Ｋ、４Ｙ、４Ｍ、４Ｃ）の表面に光を照射して露光することで、感光体ドラム４（４Ｋ、４Ｙ、４Ｍ、４Ｃ）の表面に静電潜像を形成した後、この静電潜像にトナーカートリッジ５（５Ｋ、５Ｙ、５Ｍ、５Ｃ）から供給されるトナーを付着させることで、感光体ドラム４（４Ｋ、４Ｙ、４Ｍ、４Ｃ）の表面にトナー像を形成する装置である。
【００１６】
さらに装置筐体２の内部には、画像形成ユニット３（３Ｋ、３Ｙ、３Ｍ、３Ｃ）の下方に、転写ユニット６が設けられている。転写ユニット６は、搬送路Ｒに沿って後方（図中左方向）に走行自在に配設された環状の搬送ベルト７と、搬送ベルト７を間に挟んで感光体ドラム４（４Ｋ、４Ｙ、４Ｍ、４Ｃ）の下方に対向配置された転写ローラ８（８Ｋ、８Ｙ、８Ｍ、８Ｃ）とを有している。
【００１７】
転写ローラ８（８Ｋ、８Ｙ、８Ｍ、８Ｃ）は、用紙Ｐが、感光体ドラム４（４Ｋ、４Ｙ、４Ｍ、４Ｃ）と搬送ベルト７との間を通過する際に、用紙Ｐをトナーとは逆極性に帯電させることで、感光体ドラム４（４Ｋ、４Ｙ、４Ｍ、４Ｃ）上に形成された各色のトナー像を用紙Ｐに転写する部材である。
【００１８】
さらに装置筐体２の内部には、転写ユニット６の下方（つまり装置筐体２の下部）に、用紙Ｐを収容するトレイ９が設けられている。さらにこのトレイ９の近傍には、トレイ９に収容された用紙Ｐを１枚ずつ搬送路Ｒへと繰り出すホッピングローラ１０が設けられている。さらに装置筐体２の内部には、トレイ９と転写ユニット６との間の搬送路Ｒ上に、用紙Ｐを搬送する搬送ローラ対などが設けられている。
【００１９】
さらに装置筐体２の内部には、転写ユニット６の用紙搬送方向下流側（つまり後方）に、定着器１１が設けられている。定着器１１は、上側の定着ベルト１２と下側の加圧ローラ１３とを備え、定着ベルト１２と加圧ローラ１３との間に形成されるニップ部を用紙Ｐが通過する際に、用紙Ｐを加熱及び加圧することで、用紙Ｐにトナー像を定着させる装置である。この定着器１１の詳細な構成については後述する。
【００２０】
さらに装置筐体２の上端部には、用紙Ｐが排出されるスタッカ１４が設けられている。さらに装置筐体２の内部には、定着器１１とスタッカ１４との間の搬送路Ｒ上に、用紙Ｐをスタッカ１４へと排出する排出ローラ対などが設けられている。さらに装置筐体２の内部には、搬送路Ｒ上の複数の箇所に、用紙Ｐを検知する媒体検知センサなどが設けられている。画像形成装置１の全体構成は、以上のようになっている。尚、図１では省略しているが、装置筐体２の内部には、ＣＰＵなどで構成される制御部、定着器１１の温度を検出するサーミスタ、各ローラを駆動させるモータなども設けられている。また装置筐体２の外部には、ユーザによる操作を受け付ける操作部なども設けられている。
【００２１】
ここで、画像形成装置１の動作について簡単に説明する。画像形成装置１は、トレイ９に収容されている用紙Ｐを、ホッピングローラ１０により１枚ずつ搬送路Ｒへと繰り出す。搬送路Ｒへと繰り出された用紙Ｐは、転写ユニット６へと搬送され、転写ユニット６の搬送ベルト７により画像形成ユニット３Ｋ、３Ｙ、３Ｍ、３Ｃへと順に搬送される。ここで、各画像形成ユニット３Ｋ、３Ｙ、３Ｍ、３Ｃは、感光体ドラム４Ｋ、４Ｙ、４Ｍ、４Ｃの表面上に各色のトナー像を形成する。このようにして感光体ドラム４Ｋ、４Ｙ、４Ｍ、４Ｃの表面上に形成されたトナー像は、転写ローラ８Ｋ、８Ｙ、８Ｍ、８Ｃにより、用紙Ｐ上に転写され、これにより用紙Ｐ上にカラーのトナー像が形成される。
【００２２】
カラーのトナー像が形成された用紙Ｐは、転写ユニット６から定着器１１へと搬送される。定着器１１は、カラーのトナー像を用紙Ｐに定着させる。これにより、用紙Ｐ上にカラー画像が印刷されたことになる。その後、この用紙Ｐは、スタッカ１４へと搬送され、スタッカ１４上に排出される。画像形成装置１の動作は、以上のようになっている。
【００２３】
［１−２．定着器の構成］
次に、定着器１１の構成について、図２〜図１１を用いて詳しく説明する。尚、図２〜図１１は、適宜、定着器１１の一部を省略したり簡略化したりした図となっている。具体的に、図２、図３は定着器１１の斜視図であり、図４、図５、図６、図７は定着器１１の一部を拡大した斜視図、図８は定着器１１を正面から見た正面図、図９は定着器１１の右側面図、図１０、図１１は定着器１１の断面図である。
【００２４】
図２及び図３に示すように、定着器１１は、定着器１１の左端に位置する左サイドフレーム２０Ｌと、右端に位置する右サイドフレーム２０Ｒと、左サイドフレーム２０Ｌの下端と右サイドフレーム２０Ｒの下端とを繋ぐ中央下フレーム２０Ｃとを有していて、左サイドフレーム２０Ｌと右サイドフレーム２０Ｒとによって、定着ベルト１２を有するベルトユニット２１の左右両端部と加圧ローラ１３の回転軸となる加圧ローラシャフト２２の左右両端部とを支持している。
【００２５】
ベルトユニット２１は、ベルトユニット２１の左端に位置する左プレート３０Ｌと、右端に位置する右プレート３０Ｒと、定着ベルト１２と、回転検知ローラ３１（３１Ｌ、３１Ｒ）とを有している。左プレート３０Ｌ及び右プレート３０Ｒは、それぞれ定着器１１の左サイドフレーム２０Ｌ及び右サイドフレーム２０Ｒの内側面に取り付けられていて、左右方向に延びる筒状（環状）の定着ベルト１２の左右両端部を回転自在に支持している。
【００２６】
ここで、定着器１１の右端部分（図３に二点鎖線で囲っている部分）の拡大図である図４、及びベルトユニット２１の右端部分の拡大図である図５に示すように、右プレート３０Ｒは、内側面（つまり左側面）にフランジ３２が固定されている。このフランジ３２は、図６に斜視図を示すように、断面略Ｃ字型で略円筒状のベルト支持部３２ｓと、ベルト支持部３２ｓの一端側に設けられ、ベルト支持部３２ｓの外周から外方に広がる断面略Ｃ字型で略円盤状のベルト規制部３２ｒとで構成されている。つまり、このフランジ３２は、全体として断面略Ｃ字型であり、Ｃ字の内側に相当する部分が溝３２ｇとなっている。このフランジ３２は、溝３２ｇを下側（つまり加圧ローラ１３側）にして、且つベルト支持部３２ｓが右プレート３０Ｒから左プレート３０Ｌへの方向に突出するようにして、ベルト規制部３２ｒが右プレート３０Ｒに固定されている。
【００２７】
尚、ここでは、ベルト規制部３２ｒの一面（左プレート３０Ｌと対向する面）３２ｕをフランジ面３２ｕと呼ぶ。また、図７にベルトユニット２１の左端部分の拡大図を示すように、左プレート３０Ｌも同様に、右プレート３０Ｒ側と左右対称になるようにして、内側面（つまり右側面）にフランジ３２が固定されている。
【００２８】
ベルトユニット２１では、左プレート３０Ｌ及び右プレート３０Ｒに設けられた左右のフランジ３２のベルト支持部３２ｓ（図６）が、定着ベルト１２の左右両端部の内側に入り込み、左右両端部の内周面と接触することにより、定着ベルト１２の左右両端部を回転自在に支持している。また、図８に定着器１１の正面図を示すように、ベルトユニット２１は、左右のフランジ面３２ｕの間隔が、定着ベルト１２の左右方向の長さより僅かに広くなっていて、左右のフランジ面３２ｕの間で、定着ベルト１２の左右方向の位置を規制するようになっている。つまり、定着ベルト１２は、左右のフランジ面３２ｕの間で左右方向に移動できるようになっている。
【００２９】
さらに図４、図５に示すように、右プレート３０Ｒには、フランジ３２の前方近傍に丸孔３３が形成されていて、この丸孔３３に、右サイドフレーム２０Ｒに設けられた回転軸３４（図４）が挿通されている。このようにして右プレート３０Ｒは、右サイドフレーム２０Ｒにより回転自在に支持されている。さらに右プレート３０Ｒは、右プレート３０Ｒと右サイドフレーム２０Ｒとの間に設けられたスプリング３５（図４）により、図４中矢印Ａｒ１で示す方向（つまり支持している定着ベルト１２を加圧ローラ１３に押し付ける方向）に付勢されている。また図２、図７に示すように、左プレート３０Ｌも同様に、右プレート３０Ｒ側とは左右対称になるようにして、左サイドフレーム２０Ｌにより回転自在に支持されているとともに、右プレート３０Ｒと同一方向（つまり支持している定着ベルト１２を加圧ローラ１３に押し付ける方向）に付勢されている。
【００３０】
このようにして、定着器１１は、定着ベルト１２をベルトユニット２１ごと加圧ローラ１３に押し付けるようになっていて、加圧ローラ１３を回転させると、加圧ローラ１３に押し付けられている定着ベルト１２が連れ回るようになっている。
【００３１】
さらに図４、図５に示すように、右プレート３０Ｒには、フランジ３２の上方近傍に上下方向に長い長孔３６が設けられている。この長孔３６には、回転検知ローラ３１Ｌ、３１Ｒの回転軸となる回転検知ローラシャフト３７の右端側を回転自在に支持する軸受け部３８が嵌入されている。この軸受け部３８は、長孔３６の内側を上下方向に移動可能であり、且つ軸受け部３８と長孔３６の上端との間に設けられたスプリング３９により図４中矢印Ａｒ２で示す方向（つまり回転検知ローラシャフト３７を介して支持している回転検知ローラ３１Ｒを定着ベルト１２に押し付ける方向）に付勢されている。また図７に示すように、左プレート３０Ｌも同様に、右プレート３０Ｒ側と左右対称になるようにして、回転検知ローラシャフト３７を回転自在に支持するとともに、右プレート３０Ｒと同一方向（つまり回転検知ローラシャフト３７を介して支持している回転検知ローラ３１Ｌを定着ベルト１２に押し付ける方向）に付勢している。
【００３２】
また図５、図７、図８に示すように、回転検知ローラシャフト３７に固定されている２つの回転検知ローラ３１Ｌ、３１Ｒのうち、左側の回転検知ローラ３１Ｌは、定着ベルト１２の左端近傍に配置され、右側の回転検知ローラ３１Ｒは、定着ベルト１２の右端近傍に配置されている。より具体的には、図１０、図１１に断面図を示すように、右側の回転検知ローラ３１Ｒは、定着ベルト１２の右端部を間に挟んで、右側のフランジ３２のベルト支持部３２ｓと対向する位置に設けられ、定着ベルト１２の右端部に押し付けられている。ここで、図１０に示すように、回転検知ローラ３１Ｒと定着ベルト１２との当接部分をニップ部Ｎｐ１と呼ぶ。尚、図１０は、図８に示すＡ−Ａ切断線により定着器１１のベルトユニット２１及び加圧ローラ１３を切断した場合の断面図であり、図１１は、図９に示すＢ−Ｂ切断線により定着器１１のベルトユニット２１及び加圧ローラ１３を切断した場合の断面図である。また図示しないが、左側の回転検知ローラ３１Ｌも同様に、定着ベルト１２の左端部を間に挟んで、左側のフランジ３２のベルト支持部３２ｓと対向する位置に設けられ、定着ベルト１２の左端部に押し付けられている。
【００３３】
このようにして、ベルトユニット２１は、回転検知ローラ３１Ｌ、３１Ｒを定着ベルト１２の左右両端部に押し付けるようになっていて、定着ベルト１２が回転すると、定着ベルト１２に押し付けられている回転検知ローラ３１Ｌ、３１Ｒが定着ベルト１２から受ける摩擦力により連れ回るようになっている。
【００３４】
尚、定着ベルト１２の回転軸方向、加圧ローラ１３の回転軸方向、回転検知ローラ３１Ｌ、３１Ｒの回転軸方向は、全て左右方向であり同一方向となっている。ゆえに、以下では、適宜、定着ベルト１２の回転軸方向、加圧ローラ１３の回転軸方向、回転検知ローラ３１Ｌ、３１Ｒの回転軸方向を、単に回転軸方向と省略する。
【００３５】
さらに図９に示すように、右サイドフレーム２０Ｒの外側面側（つまり右側面側）には、加圧ローラ１３の駆動系である３個のギヤ５０Ａ、５０Ｂ、５０Ｃと、円盤５１と、回転検知センサ５２と、回転検知センサ５２を収容するセンサホルダ５３とが設けられている。
【００３６】
ギヤ５０Ｃは、加圧ローラシャフト２２（図４）の右端に固定されている。尚、加圧ローラシャフト２２は、その右端が、右サイドフレーム２０Ｒに設けられている図示しない孔を通って右サイドフレーム２０Ｒの外側面側まで延びている。加圧ローラ１３の駆動系では、ギヤ５０Ａが、図示しないモータの駆動力により図９中時計回り方向に回転すると、このギヤ５０Ａと噛み合っているギヤ５０Ｂが、図９中反時計回り方向に回転する。さらにこのギヤ５０Ｂの回転にともなって、ギヤ５０Ｂと噛み合っているギヤ５０Ｃが、図９中時計回り方向に回転することにより、加圧ローラシャフト２２とともに加圧ローラ１３が回転するようになっている。
【００３７】
円盤５１は、図５にも示すように、ベルトユニット２１の一部であり、回転検知ローラシャフト３７の右端に固定されている。尚、回転検知ローラシャフト３７は、その右端が、右サイドフレーム２０Ｒに設けられている図示しない孔を通って右サイドフレーム２０Ｒの外側面側まで延びている。円盤５１は、その周側面に一定の間隔でスリットが設けられている。回転検知センサ５２は、円盤５１の上方近傍に設けられたセンサホルダ５３に収容されていて、円盤５１のスリットを読み取るようになっている。つまり、回転検知センサ５２は、回転検知ローラ３１Ｌ、３１Ｒとともに回転する円盤５１のスリットを読み取るようになっている。尚、図５に示すように、センサホルダ５３は、ベルトユニット２１の右プレート３０Ｒに設けられていて、右サイドフレーム２０Ｒに設けられている図示しない孔を通って右サイドフレーム２０Ｒの外側面側まで延びている。
【００３８】
画像形成装置１の図示しない制御部は、回転検知センサ５２から得られたスリットの読み取り結果をもとに、定着ベルト１２の回転速度を算出して監視するようになっている。そして、画像形成装置１の図示しない制御部は、定着ベルト１２の回転速度に異常が見られた場合には、例えば、定着器１１の動作を停止させるなどの制御を行うようになっている。
【００３９】
定着ベルト１２は、図２、図３、図８、図１０、図１１に示すように、左プレート３０Ｌ及び右プレート３０Ｒに設けられた左右のフランジ３２により左右両端部が支持されていて、左右のフランジ面３２ｕの間に位置している。また図１０、図１１に示すように、定着ベルト１２の内側には、ヒータ６０と、ヒータ６０を保持するヒータホルダ６１と、熱拡散部材６２とが設けられている。
【００４０】
ヒータホルダ６１は、定着ベルト１２の左右両端からはみ出す程度の長さを有する棒状の部材であり、ヒータホルダ６１と同程度の長さを有する面状のヒータ６０を保持する。ヒータ６０は、ヒータホルダ６１により、定着ベルト１２と加圧ローラ１３との当接部分であるニップ部Ｎｐ２（図１０）に近接する位置で保持される。
【００４１】
熱拡散部材６２は、定着ベルト１２の左右両端からはみ出す程度の長さを有する板状の部材であり、定着ベルト１２のニップ部Ｎｐ２側（加圧ローラ１３側）の内周面とヒータ６０との間に設けられ、定着ベルト１２のニップ部Ｎｐ２側の内周面と接触するようになっている。これにより、熱拡散部材６２は、定着ベルト１２側のニップ部Ｎｐ２の形状をほぼ平らにするとともに、ヒータ６０の熱を定着ベルト１２に伝達するようになっている。尚、定着器１１では、定着ベルト１２が熱拡散部材６２に対して摺動しながら回転するようになっていることから、定着ベルト１２の内周面と熱拡散部材６２との間に潤滑剤としての摺動グリスが塗布されている。
【００４２】
ヒータホルダ６１は、左右両端が、左プレート３０Ｌ及び右プレート３０Ｒまで延びていて、これら左プレート３０Ｌ及び右プレート３０Ｒにより支持されている。同様に、熱拡散部材６２も、左右両端が、左プレート３０Ｌ及び右プレート３０Ｒまで延びていて、これら左プレート３０Ｌ及び右プレート３０Ｒにより支持されている。ここで、図１０に示すように、ヒータホルダ６１は、左右両端部の一部が、左プレート３０Ｌ（図１０では省略）及び右プレート３０Ｒに設けられた左右のフランジ３２の溝３２ｇの内側に位置するようになっていて、一方、ヒータ６０及び熱拡散部材６２は、左右両端部が、左右のフランジ３２の溝３２ｇの外側に位置するようになっている。
【００４３】
このように、定着ベルト１２の内側には、左右方向に延びる、フランジ３２、ヒータ６０、ヒータホルダ６１及び熱拡散部材６２が設けられていて、これらが定着ベルト１２の回転軸となっている。
【００４４】
尚、ここでは、左プレート３０Ｌ及び右プレート３０Ｒが、熱拡散部材６２を支持するようにしたが、これに限らず、ヒータホルダ６１がヒータ６０とともに熱拡散部材６２を保持するようにしてもよい。
【００４５】
図２、図３、図８、図１０に示すように、加圧ローラ１３は、円筒状のローラであり、左サイドフレーム２０Ｌ及び右サイドフレーム２０Ｒにより回転自在に支持されている加圧ローラシャフト２２に固定されている。図８に示すように、この加圧ローラ１３は、回転軸方向の長さ（つまり左右方向の長さ）が、定着ベルト１２より短くなっていて、加圧ローラ１３の左端が、定着ベルト１２の左端よりも回転軸方向の内側（右側）に位置するとともに、加圧ローラ１３の右端が定着ベルト１２の右端よりも回転軸方向の内側（左側）に位置するようになっている。尚、図８に示すように、定着器１１での用紙Ｐの通過範囲Ｒｅは、少なくとも加圧ローラ１３の左右両端より内側に設定されている。
【００４６】
さらに、図８に示すように、加圧ローラ１３の左右両端の回転軸方向の外側には、それぞれ定着ベルト１２の外周面と当接して摺動グリスを吸収する当接ローラ６３（６３Ｌ、６３Ｒ）が設けられている。具体的に、右側の当接ローラ６３Ｒは、例えば加圧ローラ１３と同径であり、加圧ローラ１３の右端と、右側のフランジ面３２ｕとの間Ｇｐ１に位置するように、加圧ローラシャフト２２に固定されている。左側の当接ローラ６３Ｌも同様に、例えば加圧ローラ１３と同径であり、加圧ローラ１３の左端と、左側のフランジ面３２ｕとの間Ｇｐ１に位置するようにして、加圧ローラシャフト２２に固定されている。これら当接ローラ６３Ｌ、６３Ｒについて詳しくは後述する。定着器１１の構成は、以上のようになっている。
【００４７】
ここで、定着器１１の動作について簡単に説明する。定着器１１の動作は、画像形成装置１の図示しない制御部によって制御される。すなわち、定着器１１は、ヒータ６０を動作させて定着ベルト１２の温度を設定温度まで上昇させるとともに、モータの駆動力をギヤ５０Ａからギヤ５０Ｂ、そしてギヤ５０Ｃへと伝達することにより加圧ローラ１３を回転させる。定着器１１は、加圧ローラ１３が回転すると、この加圧ローラ１３に押し付けられている定着ベルト１２が、加圧ローラ１３とは逆方向に連れ回る。そして、定着器１１は、用紙Ｐが、定着ベルト１２と加圧ローラ１３との間のニップ部Ｎｐ２を通過する際に、用紙Ｐを加熱及び加圧することで、用紙Ｐにトナー像を定着させる。
【００４８】
また定着器１１は、定着ベルト１２が回転すると、この定着ベルト１２の左右両端部に押し付けられている回転検知ローラ３１Ｌ、３１Ｒが、定着ベルト１２とは逆方向に連れ回る。定着器１１は、回転検知ローラ３１Ｌ、３１Ｒが回転すると、回転検知センサ５２によって、回転検知ローラ３１Ｌ、３１Ｒとともに回転する円盤５１のスリットを読み取り、その読み取り結果を、画像形成装置１の図示しない制御部に送る。定着器１１の動作は、以上のようになっている。
【００４９】
ところで、上述したように定着器１１では、定着ベルト１２の内周面と熱拡散部材６２との間に摺動グリスが塗布されていて、且つ定着ベルト１２の左右両端と、定着ベルト１２の左右方向の位置を規制する左右のフランジ面３２ｕとの間に隙間が空くことから、定着ベルト１２の左右両端のうちの少なくとも一方から、摺動グリスが漏れ出すことがある。
【００５０】
ここで、定着ベルト１２の一端（例えば右端）から漏れ出した摺動グリスが、定着ベルト１２の外周面の一端側から他端側（つまり回転軸方向の内側）へと伝わっていくと、この摺動グリスが回転検知ローラ３１（例えば回転検知ローラ３１Ｒ）へと伝わって回転検知ローラ３１を汚してしまう。摺動グリスによって汚れた回転検知ローラ３１は、定着ベルト１２に対して滑ってしまい、定着ベルト１２の回転に対して正確に追従できなくなる。この結果、画像形成装置１では、回転検知センサ５２の読み取り結果をもとに算出される定着ベルト１２の回転速度と、実際の定着ベルト１２の回転速度との間に誤差が生じることになり、定着ベルト１２の回転速度を正確に検知できなくなってしまう。
【００５１】
そこで、本実施の形態の定着器１１では、加圧ローラ１３の左右両端の回転軸方向の外側に設けられた当接ローラ６３Ｌ、６３Ｒによって、定着ベルト１２の左右両端から漏れ出した摺動グリスを回収する（吸収する）ことで、摺動グリスが回転検知ローラ３１Ｌ、３１Ｒに伝わることを抑制するようになっている。以下、当接ローラ６３Ｌ、６３Ｒによる摺動グリスの回収について、詳しく説明する。
【００５２】
［１−３．当接ローラによる摺動グリスの回収］
まず、定着ベルト１２、加圧ローラ１３、右側の回転検知ローラ３１Ｒ、及び右側の当接ローラ６３Ｒの回転軸方向（左右方向）の位置関係について図１１を用いて説明する。この図１１に示すように、加圧ローラ１３の右端は、定着ベルト１２の右端より回転軸方向の内側に位置している。ここで、定着ベルト１２の右端から漏れ出した摺動グリスが、定着ベルト１２の外周面の右端から回転軸方向の内側に伝わっていき、回転検知ローラ３１Ｒの右端まで到達してしまうと、この摺動グリスによって回転検知ローラ３１Ｒが汚れてしまう。
【００５３】
そこで、当接ローラ６３Ｒは、回転軸方向の外側（右側）の端面６３Ｒｓが、回転検知ローラ３１Ｒの回転軸方向の外側（右側）の端面３１Ｒｓよりも回転軸方向の外側（右側）に位置するように配置されている。尚、右側の当接ローラ６３Ｒは、定着ベルト１２の右端の角が押し付けられていると、この角からダメージを受けてしまう。ゆえに、当接ローラ６３Ｒについては、一番左に寄った場合の定着ベルト１２の右端と、加圧ローラ１３の右端との間Ｇｐ２に設けるのが望ましい。
【００５４】
こうすることで、図１１、及び右側の当接ローラ６３Ｒ周辺の拡大図を示す図１２に示すように、右側の当接ローラ６３Ｒは、右側の回転検知ローラ３１Ｒよりも定着ベルト１２の右端に近い位置で、定着ベルト１２の右端から漏れ出した摺動グリスＧｓ（図１１では省略）を回収することができる。
【００５５】
図８に示すように、左側の当接ローラ６３Ｌも同様に、回転軸方向の外側（左側）の端面６３Ｌｓが、回転検知ローラ３１Ｌの回転軸方向の外側（左側）の端面３１Ｌｓよりも回転軸方向の外側（右側）に位置するように配置されている。尚、左側の当接ローラ６３Ｌについても、一番右に寄った場合の定着ベルト１２の左端と、加圧ローラ１３の左端との間に設けるのが望ましい。
【００５６】
こうすることで、左側の当接ローラ６３Ｌは、左側の回転検知ローラ３１Ｌよりも定着ベルト１２の左端に近い位置で、定着ベルト１２の左端から漏れ出した摺動グリスを回収することができる。
【００５７】
さらに図１２に示すように、右側の当接ローラ６３Ｒは、加圧ローラ１３の右端との間に隙間Ｇｐ３を設けて配置されている。当接ローラ６３Ｒと、加圧ローラ１３の右端との間に隙間Ｇｐ３を設けると、定着ベルト１２の内側では、加圧ローラ１３との間でニップ部Ｎｐ２を形成する部分、及び当接ローラ６３との間でニップ部Ｎｐ３を形成する部分と比べて、隙間Ｇｐ３を形成する部分で、定着ベルト１２及び熱拡散部材６２間の圧力が小さくなる。
【００５８】
すると、定着ベルト１２と熱拡散部材６２との間に塗布されている摺動グリスは、矢印Ａｒ３、Ａｒ４に示すように、高圧力側となるニップ部Ｎｐ２、Ｎｐ３側から、低圧力側となる隙間Ｇｐ３側へと移動する。これにより、定着ベルト１２と熱拡散部材６２との間に塗布されている摺動グリスは、隙間Ｇｐ３を形成する部分に溜まり易くなる。つまり、定着ベルト１２と熱拡散部材６２との間に塗布されている摺動グリスは、定着ベルト１２の右端よりも回転軸方向の内側に位置する、隙間Ｇｐ３を形成する部分に溜まり易くなる。こうすることで、定着器１１では、定着ベルト１２の右端から漏れ出す摺動グリスの量を抑制することができる。
【００５９】
図８に示すように、左側の当接ローラ６３Ｌも同様に、加圧ローラ１３の左端との間に隙間を設けて配置されている。こうすることで、定着器１１では、定着ベルト１２の左端から漏れ出す摺動グリスの量を抑制することができる。
【００６０】
このように、定着器１１では、定着ベルト１２の左右両端部に押し付けられている左右の当接ローラ６３Ｌ、６３Ｒにより、定着ベルト１２の左右両端から漏れ出した摺動グリスを、回転検知ローラ３１Ｌ、３１Ｒよりも定着ベルト１２の左右両端に近い位置で回収することができ、さらに左右の当接ローラ６３Ｌ、６３Ｒを、加圧ローラ１３の左右両端から離して配置することにより、定着ベルト１２の左右両端から漏れ出す摺動グリスの量を抑制することができるようになっている。これにより、定着器１１では、摺動グリスが回転検知ローラ３１Ｌ、３１Ｒに伝わってしまうことを抑制できるようになっている。
【００６１】
尚、当接ローラ６３Ｌ、６３Ｒは、定着ベルト１２が１回転する間に、定着ベルト１２の左右両端部の全周と接触することから、定着ベルト１２の左右両端のどこから摺動グリスが漏れ出してきても、定着ベルト１２とともに回転しながら、定着ベルト１２の全周にわたって摺動グリスを回収することができるようになっている。
【００６２】
次に、当接ローラ６３Ｌ、６３Ｒの材質について説明する。当接ローラ６３Ｌ、６３Ｒの材質は、例えば、発泡倍率が４〜５倍で、連続気泡構造のシリコーンスポンジであり、内部の気泡に摺動グリスを吸い取るようにして摺動グリスを吸収できるようになっている。
【００６３】
尚、発泡倍率とは、発泡前と発泡後とで、同一質量で体積が何倍になったのかを示す数値であり、簡単に言うと、内部にどれだけの気泡が含まれているのかを示す数値である。つまり、この発泡倍率が大きい部材ほど、液体などを吸収し易い部材であると言える。一方、連続気泡構造とは、各気泡が繋がっている構造のことであり、これに対して、独立気泡構造とは、各気泡が独立している構造のことである。液体などを吸収できるのは、独立気泡構造の方である。ちなみに、回転検知ローラ３１Ｌ、３１Ｒは、発泡倍率が当接ローラ６３Ｌ、６３Ｒより小さく（例えば２〜３倍）、連続気泡構造又は独立気泡構造となっている。定着器１１では、このような材質の当接ローラ６３Ｌ、６３Ｒによって、定着ベルト１２の左右両端から漏れ出した摺動グリスを吸収できるようになっている。
【００６４】
［１−４．まとめと効果］
ここまで説明したように、第１の実施の形態の定着器１１は、加圧ローラ１３の左右両端が、定着ベルト１２の左右両端よりも回転軸方向の内側に位置していて、定着ベルト１２の外周面の左右両端部に回転検知ローラ３１Ｌ、３１Ｒを当接させるようにした。そのうえで、加圧ローラ１３の左右両端の回転軸方向の外側に、定着ベルト１２と当接して摺動グリスを回収する当接ローラ６３Ｌ、６３Ｒを設けるようにした。
【００６５】
換言すると、定着ベルト１２の左端部に当接している左側の当接ローラ６３Ｌは、少なくとも一部分が、回転検知ローラ３１Ｌよりも、回転軸方向の外側（つまり定着ベルト１２の左端寄り）に位置し、定着ベルト１２の右端部に当接している右側の当接ローラ６３Ｒは、少なくとも一部分が、回転検知ローラ３１Ｒよりも、回転軸方向の外側（つまり定着ベルト１２の右端寄り）に位置するようになっている。
【００６６】
これにより、定着器１１は、定着ベルト１２の左右両端から定着ベルト１２の外周面に摺動グリスが漏れ出したとしても、この摺動グリスが回転検知ローラ３１Ｌ、３１Ｒに到達する前に、この摺動グリスを当接ローラ６３Ｌ、６３Ｒにより回収することができるので、漏れ出した摺動グリスが回転検知ローラ３１Ｌ、３１Ｒに伝わって回転検知ローラ３１Ｌ、３１Ｒを汚してしまうことを抑制することができる。
【００６７】
かくして、定着器１１は、回転検知ローラ３１Ｌ、３１Ｒを定着ベルト１２の回転に対して正確に追従させることができ、画像形成装置１の制御部に対して定着ベルト１２の回転を正確に検知させることができる。
【００６８】
また定着器１１では、定着ベルト１２の左右両端側に、当接ローラ６３Ｌ、６３Ｒを設けたことにより、摺動グリスが定着ベルト１２の左端と右端のどちらから漏れ出しても、この摺動グリスを当接ローラ６３Ｌ、６３Ｒによって回収することができる。
【００６９】
さらに定着器１１では、左右の当接ローラ６３Ｌ、６３Ｒを、加圧ローラ１３の左右両端から離して配置するようにした。こうすることで、定着器１１では、定着ベルト１２の内側における、左右の当接ローラ６３Ｌ、６３Ｒと、加圧ローラ１３の左右両端との隙間Ｇｐ３を形成する部分に、摺動グリスが溜まり易くなり、定着ベルト１２の左右両端から漏れ出す摺動グリスの量を抑制することができる。
【００７０】
さらに定着器１１では、左右の当接ローラ６３Ｌ、６３Ｒの材質を、発泡倍率が４〜５倍で、連続気泡構造のシリコーンスポンジとしたことにより、左右の当接ローラ６３Ｌ、６３Ｒが、内部の気泡に摺動グリスを吸い取るようにして摺動グリスを回収できる。
【００７１】
［２．第２の実施の形態］
次に、第２の実施の形態について説明する。この第２の実施の形態は、定着器の構成が、第１の実施の形態とは異なる実施の形態である。ゆえに、ここでは、定着器の構成についてのみ説明する。
【００７２】
［２−１．定着器の構成］
図１１に対応する図１３に、第２の実施の形態の定着器１００の右端部分（ベルトユニット２１と加圧ローラ１３のみ）の断面図を示す。この図１３に示すように、第２の実施の形態の定着器１００は、加圧ローラ１３の右端の回転軸方向の外側（右側）ではなく、右側の回転検知ローラ３１Ｒの回転軸方向の外側（右側）に、定着ベルト１２の外周面と当接する当接ローラ１０１が設けられている。また図は省略するが、左側の回転検知ローラ３１Ｌの回転軸方向の外側（左側）にも、定着ベルト１２の外周面と当接する当接ローラ１０１が設けられている。このように、第２の実施の形態の定着器１００は、第１の実施の形態の定着器１１から、当接ローラ６３Ｌ、６３Ｒを取り除き、代わりに当接ローラ１０１を追加した構成であり、それ以外の部分については、定着器１１と同一になっている。ゆえに、ここでは、当接ローラ１０１についてのみ説明する。
【００７３】
図１３に示すように、右側の当接ローラ１０１は、右側の回転検知ローラ３１Ｒと、右側のフランジ面３２ｕとの間Ｇｐ４に位置するように、回転検知ローラシャフト３７に固定されている。換言すると、右側の当接ローラ１０１は、定着ベルト１２の右端部を間に挟んで、右側のフランジ３２のベルト支持部３２ｓと対向する位置に設けられ、定着ベルト１２の右端部に押し付けられている。尚、右側の当接ローラ１０１は、定着ベルト１２の右端の角に押し付けられていると、この角からダメージを受けてしまう。ゆえに、当接ローラ１０１については、一番左に寄った場合の定着ベルト１２の右端と、右側の回転検知ローラ３１Ｒとの間Ｇｐ５に設けるのが望ましい。
【００７４】
また右側の当接ローラ１０１は、右側の回転検知ローラ３１Ｒとの間に隙間を設けるように配置されている。こうすることで、定着ベルト１２の内側では、右側の回転検知ローラ３１Ｒと当接ローラ１０１との隙間を形成する部分に、摺動グリスが溜まり易くなり、定着ベルト１２の右端から漏れ出す摺動グリスの量を抑制することができる。
【００７５】
この当接ローラ１０１は、例えば、回転検知ローラ３１Ｒと同径であり、発泡倍率が４〜５倍で、連続気泡構造のシリコーンスポンジで形成されていて、内部の気泡に摺動グリスを吸い取るようにして摺動グリスを吸収できるようになっている。
【００７６】
このような当接ローラ１０１を、右側の回転検知ローラ３１Ｒの回転軸方向の外側に設けると、定着ベルト１２の右端から漏れ出した摺動グリスは、回転検知ローラ３１Ｒに到達する前に当接ローラ１０１に到達して、当接ローラ１０１により吸収される。同様に、当接ローラ１０１を、左側の回転検知ローラ３１Ｌの回転軸方向の外側に設けることにより、定着ベルト１２の左端から漏れ出した摺動グリスは、左側の回転検知ローラ３１Ｌに到達する前に左側の当接ローラ１０１に到達して吸収される。
【００７７】
このように、定着器１００は、回転検知ローラ３１Ｌ、３１Ｒの回転軸方向の外側に、当接ローラ１０１を設けたことにより、定着ベルト１２の左右両端から漏れ出した摺動グリスを回収することができるとともに、定着ベルト１２の左右両端から漏れ出す摺動グリスの量を抑制することができるようになっている。
【００７８】
［２−２．まとめと構成］
ここまで説明したように、第２の実施の形態の定着器１００では、左右の回転検知ローラ３１Ｌ、３１Ｒのそれぞれの回転軸方向の外側に、当接ローラ１０１を設けた。これにより、定着器１００では、定着ベルト１２の左右両端から漏れ出した摺動グリスが回転検知ローラ３１Ｌ、３１Ｒに到達する前に、この摺動グリスを当接ローラ１０１により回収することができるので、漏れ出した摺動グリスが回転検知ローラ３１Ｌ、３１Ｒに伝わって回転検知ローラ３１Ｌ、３１Ｒを汚してしまうことを抑制することができる。
【００７９】
かくして、定着器１００は、第１の実施の形態の定着器１１と同様、回転検知ローラ３１Ｌ、３１Ｒを定着ベルト１２の回転に対して正確に追従させることができ、画像形成装置１の制御部に対して定着ベルト１２の回転を正確に検知させることができる。
【００８０】
さらに定着器１００では、左右の当接ローラ１０１を、回転検知ローラ３１Ｌ、３１Ｒから離して配置するようにした。こうすることで、定着器１００では、定着ベルト１２の内側における、左右の当接ローラ１０１と、回転検知ローラ３１Ｌ、３１Ｒとの隙間を形成する部分に摺動グリスが溜まり易くなり、定着ベルト１２の左右両端から漏れ出す摺動グリスの量を抑制することができる。
【００８１】
［３．他の実施の形態］
［３−１．他の実施の形態１］
尚、上述した第１の実施の形態では、加圧ローラ１３の左右両端のそれぞれの回転軸方向の外側に、当接ローラ６３Ｌ、６３Ｒを設けるようにした。また、上述した第２の実施の形態では、回転検知ローラ３１Ｌ、３１Ｒのそれぞれの回転軸方向の外側に、当接ローラ１０１を設けるようにした。さらに、これら第１の実施の形態と第２の実施の形態とを組み合わせて、加圧ローラ１３の左右両端のそれぞれの回転軸方向の外側に当接ローラ６３Ｌ、６３Ｒを設けるとともに、回転検知ローラ３１Ｌ、３１Ｒのそれぞれの回転軸方向の外側に当接ローラ１０１を設けるようにしてもよい。
【００８２】
［３−２．他の実施の形態２］
さらに、上述した第１の実施の形態では、回転検知ローラシャフト３７上に、定着ベルト１２の外周面に当接する当接ローラ６３Ｌ、６３Ｒを設けるようにした。さらに、上述した第２の実施の形態では、加圧ローラシャフト２２上に、定着ベルト１２の外周面に当接する当接ローラ１０１を設けるようにした。これに限らず、回転検知ローラシャフト３７上及び加圧ローラシャフト２２上以外の部分に、定着ベルト１２の外周面に当接する当接部材を設けるようにしてもよい。例えば、定着器１１に、回転検知ローラシャフト３７及び加圧ローラシャフト２２と平行なシャフトを追加して、このシャフト上に、定着ベルト１２の外周面に当接する当接部材を設けるなどしてもよい。
【００８３】
また、このように回転検知ローラシャフト３７及び加圧ローラシャフト２２とは別のシャフトに当接部材を設ける場合、この当接部材については、定着ベルト１２に当接できるものであれば、例えば、ローラなどの回転部材であってもよいし、非回転部材であってもよい。ただし、摺動グリスを回収するためには、外周全体で摺動グリスを吸収できる回転部材の方が望ましい。
【００８４】
［３−３．他の実施の形態３］
また、上述した第１の実施の形態では、定着ベルト１２の左端側と右端側とにそれぞれ回転検知ローラ３１（３１Ｌ、３１Ｒ）を設けるようにした。これに限らず、回転検知ローラ３１を、定着ベルト１２の左端側と右端側とのどちらか一方にのみ設けるようにしてもよい。この場合、当接ローラ６３については、定着ベルト１２の左右両端に設けるようにしてもよいし、回転検知ローラ３１が設けられている側にのみ設けるようにしてもよい。第２の実施の形態についても同様であり、回転検知ローラ３１と当接ローラ１０１とを、定着ベルト１２の左端側と右端側とのどちらか一方にのみ設けるようにしてもよい。
【００８５】
［３−４．他の実施の形態４］
さらに、上述した各実施の形態では、定着ベルト１２を加圧ローラ１３に押し付ける構成の定着器１１、１００に本発明を適用した。これに限らず、加圧ローラ１３を定着ベルト１２に押し付ける構成の定着器に適用してもよい。すなわち、定着部材と加圧部材とを備え、定着部材と加圧部材とが当接する構成の定着装置であれば、上述した定着器１１、１００とは異なる構成の定着装置に本発明を適用してもよい。
【００８６】
［３−５．他の実施の形態５］
さらに、上述した各実施の形態では、電子写真方式のカラープリンタである画像形成装置１に本発明を適用した。これに限らず、定着部材と加圧部材とが当接する構成の定着装置を有する画像形成装置であれば、上述した画像形成装置１とは異なる構成の画像形成装置に本発明を適用してもよい。例えば、モノクロプリンタである画像形成装置や、中間転写ベルトを備える構成の画像形成装置などに適用してもよく、また、プリンタに限らず、定着装置を有するコピー機、ファクシミリ、複合機などの画像形成装置に適用してもよい。
【００８７】
［３−６．他の実施の形態６］
また、上述した各実施の形態では、加圧部材の具体例として加圧ローラ１３を用いたが、これに限らず、加圧ローラ１３とは異なる加圧部材を用いてもよい。例えば、ローラではなく、ベルトでなる加圧部材を用いてもよい。さらに、上述した各実施の形態では、定着部材の具体例として定着ベルト１２を用いたが、これに限らず、定着ベルト１２とは異なる定着部材を用いてもよい。例えば、ベルトではなく、ローラでなる定着部材を用いてもよい。さらに、上述した各実施の形態では、定着部材の内周面と当接する内周面当接部材の具体例として熱拡散部材６２を用いたが、これに限らず、定着部材の内周面と当接する部材であれば、熱拡散部材６２とは異なる当接部材を用いてもよい。
【００８８】
さらに、上述した各実施の形態では、回転検知部材の具体例として、一端側回転検知部材としての回転検知ローラ３１Ｌ、及び他端側回転検知部材としての回転検知ローラ３１Ｒを用いたが、これに限らず、定着部材とともに回転可能な部材であれば、回転検知ローラ３１Ｌ、３１Ｒとは異なる回転検知部材を用いてもよい。さらに、上述した各実施の形態では、定着部材の外周面と当接する外周面当接部材の具体例として、当接ローラ６３Ｌ、６３Ｒ、１０１を用いたが、これに限らず、定着部材の外周面と当接する部材であれば、当接ローラ６３Ｌ、６３Ｒ、１０１とは異なる外周面当接部材を用いてもよい。例えば、摺動グリスを吸収する当接ローラ６３Ｌ、６３Ｒ、１０１の代わりに、摺動グリスを堰き止める部材を第２の当接部材として用いてもよい。さらに、上述した各実施の形態では、潤滑剤の具体例として、摺動グリスを用いたが、これに限らず、摺動グリスとは異なる潤滑剤を用いてもよい。
【００８９】
［３−７．他の実施の形態７］
さらに、本発明は、上述した各実施の形態に限定されるものではない。すなわち本発明は、上述した第１及び第２の実施の形態と他の実施の形態の一部または全部を任意に組み合わせた実施の形態や、一部を抽出した実施の形態にもその適用範囲が及ぶものである。
【産業上の利用可能性】
【００９０】
本発明は、定着部材と加圧部材とを当接させる構成の定着装置、及びこのような定着装置を有するプリンタなどの画像形成装置で広く利用することができる。
【符号の説明】
【００９１】
１……画像形成装置、１１、１００……定着器、１２……定着ベルト、１３……加圧ローラ、２１……ベルトユニット、２２……加圧ローラシャフト、３１Ｌ、３１Ｒ……回転検知ローラ、３２……フランジ、３７……回転検知ローラシャフト、５２……回転検知センサ、６０……ヒータ、６１……ヒータホルダ、６２……熱拡散部材、６３Ｌ、６３Ｒ、１０１……当接ローラ、Ｐ……用紙、Ｎｐ１、Ｎｐ２……ニップ部。
【図１】
2020056822.tif 000003
【図２】
2020056822.tif 000004
【図３】
2020056822.tif 000005
【図４】
2020056822.tif 000006
【図５】
2020056822.tif 000007
【図６】
2020056822.tif 000008
【図７】
2020056822.tif 000009
【図８】
2020056822.tif 000010
【図９】
2020056822.tif 000011
【図１０】
2020056822.tif 000012
【図１１】
2020056822.tif 000013
【図１２】
2020056822.tif 000014
【図１３】
2020056822.tif 000015